Podtech/llm-jp-corpus-v4-ja_patent huggingface dataset:
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
エタノール供給原料をエチレンに脱水し、次いで、エチレンをエチレンオキシドに酸化する方法であって、
ａ）  工程ｅ）から得られた流出物との熱交換によって、前記エタノール供給原料を７０〜１３０℃の範囲内の温度に予熱するための場合による工程；
ｂ）  ７０〜１３０℃の範囲内の温度で操作して酸性固体によりエタノール供給原料を前処理して、前処理されたエタノール供給原料を生じさせるための場合による工程；
ｃ）  前記前処理されたエタノール供給原料と、工程ｇ）からの出口に再循環させられたエタノールを含む希釈水の流れの少なくとも一部とを含む気化供給原料を、交換器において、工程ｅ）の最後の反応器から得られた流出物との熱交換によって気化させて、気化した供給原料を生じさせるための工程であって、前記気化供給原料は、０．１〜１．４ＭＰａの範囲内の圧力で前記気化工程に導入される、工程；
ｄ）  圧縮機において前記気化した供給原料を圧縮しかつ過熱した状態として、圧縮されかつ脱水セクションｅ）に供給するための温度にある供給原料を生じさせるための工程であって、前記圧縮機は、復水タービンによって駆動され、該復水タービンの取入れ口には、酸化セクションｉ）において気化したクエンチ流であり、復水タービンを出る排気流は、酸化工程ｉ）に再循環させられる、工程；
ｅ）  少なくとも１基の断熱反応器において、圧縮された供給原料を脱水するための工程であって、前記供給原料の水対エタノールの重量比は１〜４の範囲内であり、該断熱反応器は、少なくとも１種の脱水触媒を含有し、該断熱反応器において脱水反応が行われ、３５０〜５５０℃の範囲内の入口温度および０．３〜１．８ＭＰａの範囲内の入口圧力で操作する、工程；
ｆ）  工程ｅ）の最後の断熱反応器から得られた流出物を、１．６ＭＰａ未満の圧力でエチレンを含む流出物と、水を含む流出物とに分離するための工程；
ｇ）  工程ｆ）から得られた水を含む流出物の少なくとも一部を精製しかつ処理された水の少なくとも１つの流れとエタノールを含む希釈水の流れとに分離するための工程であって、該エタノールを含む希釈水の流れは、気化工程ｃ）の上流に再循環させられる、工程；
ｈ）  工程ｆ）から得られたエチレンを含む流出物を圧縮するための工程；
ｉ）  工程ｈ）から得られた流出物をエチレンオキシドに酸化するための工程であって、この酸化工程は、少なくとも１基の管状酸化反応器を含み、該管状酸化反応器は、工程ｄ）から得られた前記クエンチ流の気化によって冷却され、こうして再加熱された前記クエンチ流は、工程ｄ）に再循環させられる、工程
を含む、方法。
【請求項２】
前記圧縮された供給原料は、単一相タイプのガス交換器において、工程ｅ）の最後の断熱反応器から得られた流出物との熱交換によって加熱される、請求項１に記載の方法。
【請求項３】
前記工程ｈ）から得られた圧縮された流れは、精製を経る、請求項１または２に記載の方法。
【請求項４】
圧縮された供給原料の圧力は、０．３〜１．８ＭＰａの範囲内である、請求項１〜３のいずれか１つに記載の方法。
【請求項５】
工程ｅ）の最後の断熱反応器から得られた流出物は、２７０〜４５０℃の範囲内の温度および０．２〜１．６ＭＰａの範囲内の圧力にある、請求項１〜４のいずれか１つに記載の方法。
【請求項６】
脱水工程ｅ）は、１基または２基の反応器において行われる、請求項１〜５のいずれか１つに記載の方法。
【請求項７】
工程ｅ）において用いられる前記脱水触媒は、無定形の酸触媒またはゼオライト性の酸触媒である、請求項１〜６のいずれか１つに記載の方法。
【請求項８】
前記エタノール供給原料は、３５〜９９．９重量％の範囲内の重量百分率のエタノールを含む、請求項１〜７のいずれか１つに記載の方法。
【請求項９】
前処理するための場合による工程ｂ）は、アニオン交換樹脂を用いる前処理によって補足される、請求項１〜８のいずれか１つに記載の方法。
【手続補正２】
【補正対象書類名】明細書
【補正対象項目名】００１７
【補正方法】変更
【補正の内容】
【００１７】
生じたエチレンオキシドは、多くの生成物、例えば、グリコール、ポリオール、エトキシラート、グリコールエーテルまたはエタノールアミンの合成における反応中間体である。
【手続補正３】
【補正対象書類名】明細書
【補正対象項目名】００４４
【補正方法】変更
【補正の内容】
【００４４】
本発明によると、脱水方法は、前記気化供給原料を気化させて気化した供給原料を生じさせるための工程ｃ）を含む。前記気化は、脱水工程ｅ）から得られた流出物との熱交換によって熱交換器において行われる。
【手続補正４】
【補正対象書類名】明細書
【補正対象項目名】００５４
【補正方法】変更
【補正の内容】
【００５４】
圧縮に必要な機械動力は、復水タービンによって供給され、この復水タービンのための取入れ口には、酸化セクションｉ）において気化したクエンチ流（１２）である。復水タービンを出る排気流（１３）は、工程ｉ）における反応媒体との熱交換に起因する新たな気化のために酸化工程ｉ）に再循環させられる。場合によっては、過渡状態をオフセットするために、この動力は、工程ｄ）の圧縮機のドライブシャフト上の当業者に親しまれているタイプの回転機、例えば、電動機または第２のスチームまたはガスのタービンの存在によって補足されてよい。
【手続補正５】
【補正対象書類名】明細書
【補正対象項目名】００６２
【補正方法】変更
【補正の内容】
【００６２】
圧縮され、場合によっては、前記単一相タイプのガス交換器において加熱された前記供給原料は、次いで、有利には、炉に導入され、脱水反応温度に適合する少なくとも１基の断熱反応器の入口温度とされる。この単一相タイプのガス交換器は、当業者にその技術が知られている交換器であり、このものは、大きな交換表面を提供しながら圧力降下を最小にするために用いられ得る。この低圧の気／気交換は、交換器の壁と通じた低い熱流束密度（低い伝達係数）を含み、これは、大きな交換表面を有することを必要とする。さらに、圧力の損失は、工程ｄ）の圧縮機の負荷を制限するために最小にされなければならない。例として、この交換器は、Alpha Lavalによって提供されるPackinoxタイプの、シェル中の加圧式板状交換器であってよい。
【手続補正６】
【補正対象書類名】明細書
【補正対象項目名】０１００
【補正方法】変更
【補正の内容】
【０１００】
軽質ガスおよびエタノール、好ましくはアセトアルデヒドおよびエタノールを含有する流れが、有利には、分離され、工程ｆ）に再循環させられてもよい。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
アンドロゲンレセプターに関連する疾患を処置するための治療的組成物であって、前記アンドロゲンレセプターは、配列  ＥＬＨＱＸＴＦＤＬＬ（配列番号７）を含み、ここで、Ｘは、Ｆ以外のアミノ酸またはこの位置のアミノ酸が不在であることを示し、前記治療的組成物が、ビカルタミドまたはＣＤＫ４／６阻害剤を含む、治療的組成物。
【請求項２】
前記ＣＤＫ４／６阻害剤が、ＬＥＥ０１１またはＰＤ０３３２９９１である、請求項１に記載の治療的組成物。
【請求項３】
前記アンドロゲンレセプターに関連する疾患が前立腺がんまたは乳がんである、請求項１に記載の治療的組成物。
【請求項４】
前記アンドロゲンレセプターに関連する疾患が、ポリグルタミン酸病、脱毛症、良性前立腺肥大、多毛症、座瘡、脊髄および筋萎縮症、またはケネディ病である、請求項１に記載の治療的組成物。
【請求項５】
アンドロゲンレセプターに関連する疾患を処置するための治療的組成物であって、ＬＥＥ０１１を含み、前記アンドロゲンレセプターは、配列  ＥＬＨＱＸＴＦＤＬＬ（配列番号７）を含み、ここで、Ｘは、Ｆ以外のアミノ酸またはこの位置のアミノ酸が不在であることを示す、治療的組成物。
【請求項６】
前記アンドロゲンレセプターに関連する疾患が前立腺がんまたは乳がんである、請求項５に記載の治療的組成物。
【請求項７】
前記アンドロゲンレセプターに関連する疾患が、ポリグルタミン酸病、脱毛症、良性前立腺肥大、多毛症、座瘡、脊髄および筋萎縮症、またはケネディ病である、請求項５に記載の治療的組成物。
【請求項８】
アンドロゲンレセプターに関連する疾患を処置するための医薬の製造のための治療的組成物の使用であって、前記アンドロゲンレセプターは、配列  ＥＬＨＱＸＴＦＤＬＬ（配列番号７）を含み、ここで、Ｘは、Ｆ以外のアミノ酸またはこの位置のアミノ酸が不在であることを示し、前記治療的組成物が、ビカルタミドまたはＣＤＫ４／６阻害剤を含む、使用。
【請求項９】
アンドロゲンレセプターに関連する疾患を処置するための医薬の製造のためのＬＥＥ０１１の使用であって、前記アンドロゲンレセプターは、配列  ＥＬＨＱＸＴＦＤＬＬ（配列番号７）を含み、ここで、Ｘは、Ｆ以外のアミノ酸またはこの位置のアミノ酸が不在であることを示す、使用。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
Ｎ−オクタノイルカルノシンを含む、皮膚もしくは粘膜における１以上の細胞外基質成分の形成を刺激する組成物であって、当該組成物は、コラーゲンＩの形成よりも高い程度までコラーゲンＩＩＩの形成を刺激する、組成物。
【請求項２】
当該組成物は、局所投与もしくは皮下投与に好適な１以上のキャリアもしくは賦形剤をさらに含む、請求項１に記載の組成物。
【請求項３】
当該組成物は、コラーゲンＩ，コラーゲンＶ，コラーゲンＶＩ，コラーゲンＶＩＩ，コラーゲンＸＶＩ，エラスチン，ラミニン，ヒアルロン酸，フィブリリン，ヘパラン硫酸プロテオグリカン２，及びそれらの組み合わせからなるグループから選択される１以上の細胞外基質成分の形成を刺激する、請求項２に記載の組成物。
【請求項４】
当該組成物は、コラーゲンＩ，コラーゲンＶＩＩ，エラスチン，ヒアルロン酸，及びそれらの組合せからなるグループから選択される主として皮膚老化に関連した１以上の細胞外基質成分の形成を刺激する、請求項３に記載の組成物。
【請求項５】
当該組成物は１以上の追加活性成分をさらに含み、活性成分の前記組合せはヒアルロン酸の形成を刺激する、請求項３に記載の組成物。
【請求項６】
前記１以上の追加の活性成分は、トリペプチド，テトラペプチド，及びそれらの組合せからなるグループから選択される、請求項５に記載の組成物。
【請求項７】
当該組成物は、オクタノイルカルノシン，トリペプチドＧＨＫのリポアミノ酸誘導体（Ｎ−パルミトイル−ＧＨＫ），及びテトラペプチドＧＥＫＧ（ＳＥＱ  ＩＤ  ＮＯ：１）を含む、請求項６に記載の組成物。
【請求項８】
当該組成物は、オクタノイルカルノシン，パルミトイル−ＧＨＫ，及びＧＥＫＧを重量比４：１：５で含む、請求項７に記載の組成物。
【請求項９】
当該組成物は、約０．０００１重量％乃至１０重量％のオクタノイルカルノシンを含む、請求項２に記載の組成物。
【請求項１０】
請求項６に記載の組成物と、１以上の医薬的に許容可能なキャリアとを含む、医薬組成物。
【請求項１１】
当該組成物は、オクタノイルカルノシンと、トリペプチドＧＨＫのリポアミノ酸誘導体（Ｎ−パルミトイル−ＧＨＫ）と、テトラペプチドＧＥＫＧ（ＳＥＱ  ＩＤ  ＮＯ：１）とを含む、請求項１０に記載の医薬的組成物。
【請求項１２】
請求項６に記載の組成物と、１以上の美容的に許容可能なキャリアとを含む、美容組成物。
【請求項１３】
当該組成物は、オクタノイルカルノシンと、トリペプチドＧＨＫのリポアミノ酸誘導体（Ｎ−パルミトイル−ＧＨＫ）と、テトラペプチドＧＥＫＧ（ＳＥＱＩＤＮＯ：１）とを含む、請求項１２に記載の美容組成物。
【請求項１４】
１以上の容器内に、請求項１１に記載の医薬組成物と、取扱説明書とを含むキット。
【請求項１５】
１以上の容器内に、請求項１３に記載の美容組成物と、取扱説明書とを含むキット。
【手続補正２】
【補正対象書類名】明細書
【補正対象項目名】００２０
【補正方法】変更
【補正の内容】
【００２０】
本発明の組成物のいずれかは、１以上の追加の活性成分をさらに含有し得る。その場合、全活性成分の組合せは、ヒアルロン酸の形成を刺激する。非限定的例としては、１以上の追加の活性成分は、トリペプチド，テトラペプチド，及び／又はそれらのいずれの組合せであり得る。具体的には、組成物は、トリペプチドＧＨＫのリポアミノ酸誘導体（Ｎ−パルミトイル−ＧＨＫ），及びテトラペプチドＧＥＫＧ（ＳＥＱ  ＩＤ  ＮＯ：１）と併用した、オクタノイルカルノシンを包含し得る。これらの組成物（又はその適当な組み合わせ）は、ヒアルロン酸の形成を刺激するので、これらは、創傷皮膚もしくは損傷皮膚，萎縮性皮膚及び粘膜，及び外陰膣萎縮の治療のために特に使用され得る。
【手続補正３】
【補正対象書類名】明細書
【補正対象項目名】００４４
【補正方法】変更
【補正の内容】
【００４４】
また本書において、１以上の医薬的に及び／もしくは美容的に許容可能なキャリアと共に、本発明の組成物のいずれかを含有する医薬的及び／もしくは美容的組成物及び／もしくは配合物が提供される。これらの医薬的及び／もしくは美容的組成物及び／もしくは配合物において、組成物は、オクタノイルカルノシンと、トリペプチドＧＨＫのリポアミノ酸誘導体（即ちＮ−パルミトイル−ＧＨＫ）と、テトラペプチドＧＥＫＧ（ＳＥＱ  ＩＤ  ＮＯ：１）との組合せを含有してよい。非限定的例としては、組成物及び／もしくは配合物のこれらの成分は、重量比４：１：５で存在してよい。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
ＭＨＣクラスＩ型ポリペプチド関連性配列Ａ（ＭＩＣＡ）に免疫特異的に結合する抗体またはそれらの抗原結合フラグメントであって、前記抗体は、
配列番号：１５４に示すアミノ酸配列を含む重鎖可変領域（ＶＨ）ＣＤＲ１、
配列番号：１５６に示すアミノ酸配列を含むＶＨ  ＣＤＲ２、および
配列番号：１５８に示すアミノ酸配列を含むＶＨ  ＣＤＲ３、
またはＶＨ  ＣＤＲ１、ＶＨ  ＣＤＲ２および／またはＶＨ  ＣＤＲ３において５以下の保存的アミノ酸置換を有するそれらの変異体
を含む、抗体またはそれらの抗原結合フラグメント。
【請求項２】
前記抗体または抗原結合フラグメントが、
配列番号：１６１に示すアミノ酸配列を含む軽鎖可変領域（ＶＬ）ＣＤＲ１、
配列番号：１６３に示すアミノ酸配列を含むＶＬ  ＣＤＲ２、および
配列番号：１６５に示すアミノ酸配列を含むＶＬ  ＣＤＲ３、
またはＶＬ  ＣＤＲ１、ＶＬ ＣＤＲ２および／またはＶＬ ＣＤＲ３において５以下の保存的アミノ酸置換を有するそれらの変異体
を含む、請求項１に記載の抗体または抗原結合フラグメント。
【請求項３】
前記ＶＨ領域が
配列番号：１５４を含むＶＨ  ＣＤＲ１；
配列番号：１５６を含むＶＨ  ＣＤＲ２；および
配列番号：１５８を含むＶＨ  ＣＤＲ３
を含む、請求項１または２に記載の抗体または抗原結合フラグメント。
【請求項４】
前記ＶＬ領域が
配列番号：１６１を含むＶＬ  ＣＤＲ１、
配列番号：１６３を含むＶＬ  ＣＤＲ２、および
配列番号：１６５を含むＶＬ  ＣＤＲ３
を含む、請求項１〜３のいずれかに記載の抗体または抗原結合フラグメント。
【請求項５】
前記ＶＨ領域のＦＲ１、ＦＲ２、ＦＲ３、ＦＲ４領域が、配列番号：１５０に示されるＶＨの対応するＦＲ１、ＦＲ２、ＦＲ３、ＦＲ４領域に対し、少なくとも８０％、８５％、９０％、９５％、９６％、９７％、９８％、９９％または１００％同一性を有するアミノ酸配列を含む、請求項１〜４のいずれかに記載の抗体または抗原結合フラグメント。
【請求項６】
前記ＶＬ領域のＦＲ１、ＦＲ２、ＦＲ３、ＦＲ４領域が、配列番号：１５２に示されるＶＬの対応するＦＲ１、ＦＲ２、ＦＲ３、ＦＲ４領域に対し、少なくとも８０％、８５％、９０％、９５％、９６％、９７％、９８％、９９％または１００％同一性を有するアミノ酸配列を含む、請求項２〜５のいずれかに記載の抗体または抗原結合フラグメント。
【請求項７】
前記ＶＨ領域が、ＣＤＲ内ではない残基において５以下の保存的アミノ酸置換を有する配列番号：１５０に示すアミノ酸配列またはその変異体を含む、請求項１〜６のいずれかに記載の抗体または抗原結合フラグメント。
【請求項８】
前記ＶＬ領域が、ＣＤＲ内ではない残基において５以下の保存的アミノ酸置換を有する配列番号：１５２に示すアミノ酸配列またはその変異体を含む、請求項１〜７のいずれかに記載の抗体または抗原結合フラグメント。
【請求項９】
配列番号：１５０に示すアミノ酸配列を有するＶＨ領域および配列番号：１５２に示すアミノ酸配列を有するＶＬ領域を含む、請求項１〜８のいずれかに記載の抗体または抗原結合フラグメント。
【請求項１０】
前記抗体または抗原結合フラグメントがヒト、ヒト化またはキメラである、請求項１〜９のいずれかに記載の抗体または抗原結合フラグメント。
【請求項１１】
請求項１〜１０のいずれかに記載の抗体または抗原結合フラグメントを含む医薬組成物。
【請求項１２】
１つ以上のさらなる薬剤を含む、請求項１１に記載の医薬組成物。
【請求項１３】
化学療法、放射線療法、サイトカイン、ケモカインおよび他の生体シグナル伝達分子、腫瘍特異的ワクチン、細胞癌ワクチン（例えば、ＧＭ−ＣＳＦ形質導入癌細胞）、腫瘍特異的モノクローナル抗体、自己および同種異系の幹細胞レスキュー（例えば、移植片対腫瘍効果を増強させる）、分子標的療法、抗脈管形成療法、および遺伝子治療からなる群から選択される癌の処置のために使用される１つ以上のさらなる薬剤を含む、請求項１２に記載の医薬組成物。
【請求項１４】
前記１つ以上のさらなる薬剤が、ヒドロキサム酸、ボリノスタット、スベロイルアニリドヒドロキサム酸（ＳＡＨＡ、トリコスタチンＡ（ＴＳＡ）、ＬＡＱ８２４、パノビノスタット（ＬＢＨ５８９）、ベリノスタット（ＰＸＤ１０１）、ＩＴＦ２３５７  ｉｔａｌｆａｒｍａｃｏ  ＳｐＡ、環状テトラペプチド、デプシペプチド（ロミデプシン、ＦＫ２２８）、ベンズアミド；ｅｎｔｉｎｏｓｔａｔ（ＳＮＤＸ−２７５／ＭＳ−２７５）、ＭＧＣＤ０１０３、短鎖脂肪酸、バルプロ酸、フェニル酪酸、ＡＮ−９、ｐｉｖａｎｅｘ、ＣＨＲ−３９９６、およびＣＨＲ−２８４５からなる群から選択されるヒストンデアセチラーゼインヒビター（ＨＤＡＣ）；ボルテゾミブ、ＮＰＩ−００５２、カーフィルゾミブ（ＰＲ−１７１）、ＣＥＰ  １８７７０、およびＭＬＮ９７０８からなる群から選択されるプロテアソーム阻害剤；抗−ＣＴＬＡ−４抗体またはペプチド；抗−ＰＤ−１抗体またはペプチド；抗−ＰＤＬ−１抗体またはペプチド；抗−ＯＸ４０抗体またはペプチド；抗−ＧＩＴＲ抗体またはペプチド；抗−ＬＡＧ−３抗体またはペプチド；および抗−ＴＩＭ−３抗体またはペプチドを含む、請求項１２に記載の医薬組成物。
【請求項１５】
対象において癌の処置における使用のための、請求項１１〜１４のいずれか一項に記載の医薬組成物。
【請求項１６】
請求項１〜１０のいずれかに記載の抗体または抗原結合フラグメントをコードする単離された核酸。
【請求項１７】
配列番号：１４９に対し少なくとも約７５％、８０％、９０％、９５％、９９％または１００％配列同一性を有するヌクレオチド配列を含む、請求項１６に記載の単離された核酸。
【請求項１８】
配列番号：１５１に対し少なくとも約７５％、８０％、９０％、９５％、９９％または１００％配列同一性を有するヌクレオチド配列を含む、請求項１６または１７に記載の単離された核酸。
【請求項１９】
請求項１６〜１８のいずれか一項に記載の核酸を含むベクター。
【請求項２０】
前記ベクターがプラスミドまたはウイルスベクターである、請求項１９に記載のベクター。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
被検体の細胞においてミトコンドリアの機能を高めるための医薬組成物であって、単離された５’メチルセレノアデノシン、セレノアデノシルホモシステイン、及びロイシル−バリル−セレノメチオニル−アルギニン、並びにこれらの組み合わせからなる群から選択される化合物を有効な量で含み、この有効な量が、前記組成物にさらされていない細胞と比較した場合に、細胞におけるミトコンドリアの機能を高める、医薬組成物。
【請求項２】
セレノ（ヒドロキシル）−セレノフェン−（３’−デオキシ−アデノシン）、Ｎ−アセチルシステイン−セレノホモシステイン、アリルセレノアデノシルホモシステイン、セレノ−ヒドロキシアデノシルホモシステイン、セレノアデノシン、セレノ−アデノシル−Ｓｅ（メチル）−セレンオキシド、アデノシル−ヒドロキシセレンオキシド、エチルセレノアデノシン、セレノ−（ヒドロキシ）−セレノフェン−（３’−デスオキシ−アデノシン）、アデノシル−ヒドロキシセレンオキシド、セレノ−アデノシル−Ｓｅ（メチル）−セレンオキシド、及びメチルセレノシステイン、並びにこれらの組み合わせからなる群から選択される単離された化合物を更に含む、請求項１に記載の医薬組成物。
【請求項３】
１日あたり被検体に２５〜８００μｇのセレンを与えるような１日投薬量である、請求項１に記載の医薬組成物。
【請求項４】
１日あたり被検体に２００〜５００μｇのセレンを与えるような１日投薬量である、請求項１に記載の医薬組成物。
【請求項５】
前記組成物は経口投与される、請求項１に記載の医薬組成物。
【請求項６】
前記組成物が担体を含む、請求項１に記載の医薬組成物。
【請求項７】
前記組成物は、粉末、錠剤、丸薬、ゲル、シロップ、液体、小袋、糖衣錠、又は懸濁物である、請求項１に記載の医薬組成物。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
対象における心不全を治療または予防するための、上皮成長因子様（EGF様）ドメインを含む治療有効量のペプチドを含む薬剤であって、該治療有効量が約0.005 mg/kg体重〜約4 mg/kg体重であり、かつ、該薬剤が、少なくとも24時間の投与間隔で投与される、薬剤。
【請求項２】
対象における心不全を治療または予防するための、EGF様ドメインを含むペプチドを含む薬剤であって、該薬剤が、段階的増大投与レジメンに従って投与され、該段階的増大投与レジメンが、第1の治療有効用量での該ペプチドの投与および続いて第2の治療有効用量の投与を含み、該第2の用量が該第1の用量よりも多い、薬剤。
【請求項３】
前記治療有効量が約0.007 mg/kg体重〜約1.5 mg/kg体重である、請求項1に記載の薬剤。
【請求項４】
前記治療有効量が、約0.007 mg/kg体重、約0.02 mg/kg体重、約0.06 mg/kg体重、約0.19 mg/kg体重、約0.38 mg/kg体重、0.76 mg/kg体重、および約1.51 mg/kg体重からなる群より選択される、請求項1に記載の薬剤。
【請求項５】
前記投与間隔が4ヶ月超である、請求項1に記載の薬剤。
【請求項６】
前記治療有効量が、約0.35 mg/kg体重〜約3.5 mg/kg体重であり、かつ前記投与間隔が少なくとも2週間である、請求項1に記載の薬剤。
【請求項７】
前記投与レジメンが、
(a)約0.005 mg/kg体重〜約0.015 mg/kg体重の範囲内の初回用量の前記ペプチドの投与；
(b)その後、前回の用量より2倍〜3倍多い第2の用量の該ペプチドの投与；および
(c)最大治療用量に達するまで(b)を繰り返すこと
を含み、
該最大治療用量が前記対象において有害事象を誘発せず、かつ、用量が、少なくとも24時間の間隔で投与される、請求項2に記載の薬剤。
【請求項８】
前記最大治療用量が約0.7 mg/kg体重〜約1.5 mg/kg体重である、請求項7に記載の薬剤。
【請求項９】
前記ペプチドが、グリア成長因子2（GGF2）またはその機能的断片を含む、請求項1または2に記載の薬剤。
【請求項１０】
前記GGF2またはその機能的断片が、SEQ ID NO: 1またはSEQ ID NO: 2のアミノ酸配列を含む、請求項9に記載の薬剤。
【請求項１１】
前記心不全が慢性心不全である、請求項1または2に記載の薬剤。
【請求項１２】
前記対象が、前記薬剤の投与前の少なくとも1ヶ月間慢性心不全に罹患している、請求項11に記載の薬剤。
【請求項１３】
前記対象が、前記薬剤の投与前にクラス2、3、または4心不全に罹患している、請求項1または2に記載の薬剤。
【請求項１４】
前記対象が、前記薬剤の投与前に、40%もしくはそれ未満の左室駆出率を有しているか、または保たれた左室駆出率を有している、請求項1または2に記載の薬剤。
【請求項１５】
前記治療有効量が、前記対象において、左室駆出率（LVEF）を増加させるため、収縮末期容量（ESV）を減少させるため、拡張末期容量（EDV）を減少させるため、短縮率（FS）を増加させるため、入院の回数を減少させるため、運動耐容能を増加させるため、僧帽弁逆流の発生数もしくは重篤度を減少させるため、呼吸困難を減少させるため、末梢浮腫を減少させるため、またはそれらの組み合わせのために十分である、請求項1または2に記載の薬剤。
【請求項１６】
左室駆出率（LVEF）の増加、収縮末期容量（ESV）の減少、拡張末期容量（EDV）の減少、短縮率（FS）の増加、またはそれらの組み合わせが、前記薬剤の第1の投与から90日以内に生じる、請求項15に記載の薬剤。
【請求項１７】
静脈内または皮下に投与される、請求項1または2に記載の薬剤。
【請求項１８】
治療有効量のベンゾジアゼピンと組み合わせて使用される、請求項1または2に記載の薬剤。
【請求項１９】
対象における心不全を治療または予防する方法における使用のための、上皮成長因子様（EGF様）ドメインを含むペプチドであって、
該方法が、少なくとも24時間の投与間隔で該対象の体重1kgあたり約0.005 mg〜約4 mgの量で該ペプチドを投与する工程を含む、ペプチド。
【請求項２０】
対象における心不全を治療または予防する方法における使用のための、EGF様ドメインを含むペプチドであって、
該方法が、第1の治療有効用量で該ペプチドを投与する工程、および続いて第2の治療有効用量を投与する工程を含み、該第2の用量が該第1の用量よりも多い、ペプチド。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
ヘキシトール及びモノアンヒドロヘキシトールの１つ又は両方からイソヘキシドを生成するための方法であって、１４０℃〜１６０℃の温度で１時間〜３時間の期間にわたり、減圧下で、脱水の過程で生成物混合物から水を継続的に除去して、ビスマス（ＩＩＩ）トリフラート、ガリウム（ＩＩＩ）トリフラート、スカンジウム（ＩＩＩ）トリフラート、アルミニウムトリフラート、インジウム（ＩＩＩ）トリフラート、スズ（ＩＩ）トリフラート、およびこれらの２種以上の組合せからなる群から選択される０．００５モルパーセント〜０．１モルパーセントの均質なルイス酸触媒と、上記開始材料とを接触させることを含む、方法。
【請求項２】
前記ヘキシトールはソルビトールである、請求項１に記載の方法。
【請求項３】
前記ヘキシトールはマンニトールであり、前記触媒はビスマス（ＩＩＩ）トリフラートである、請求項１に記載の方法。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
アリール基含有シロキサン組成物であって、
（Ａ）１分子当たり少なくとも２つのアルケニル基を有するオルガノポリシロキサン、
（Ｂ）１分子当たり少なくとも２つのケイ素に結合した水素原子を有するオルガノポリシロキサン、及び
（Ｃ）アルカリ土類金属を含む熱安定化組成物
の（Ｄ）ヒドロシリル化触媒の存在下での反応生成物を含み、
成分（Ａ）又は（Ｂ）の少なくとも１つが少なくとも１つのアリール基を含む、アリール基含有シロキサン組成物。
【請求項２】
前記熱安定化組成物が、
（ｉ）式Ｍ（ＯＨ）２ｐＨ２Ｏを含み、式中、Ｍがアルカリ土類金属を表し、ｐが０〜８の範囲にある、アルカリ土類金属水酸化物又はアルカリ土類金属水酸化物水和物、及び
（ｉｉ）成分（ｉ）と反応性の官能基を有する少なくとも１種のケイ素含有化合物の反応生成物を含み、
式中、前記アルカリ土類金属Ｍが前記熱安定化組成物の全重量の０．１〜２５重量パーセントの範囲の量で存在する、請求項１に記載のシロキサン組成物。
【請求項３】
前記少なくとも１種のケイ素含有化合物が、シラノール官能性シロキサン、シラノール官能性シラン、アルコキシ官能性シラン、アルコキシ官能性シロキサン、又はその任意の組合せから選択される、請求項２に記載のシロキサン組成物。
【請求項４】
前記少なくとも１種のケイ素含有化合物が、クロロ官能性シロキサン、クロロ官能性シラン、又はその任意の組合せから選択される、請求項２に記載のシロキサン組成物。
【請求項５】
前記熱安定化組成物が、
（ｉ）アルカリ土類金属酸化物、及び
（ｉｉ）クロロ官能性シラン又はクロロ官能性シロキサン又はその組合せを含む少なくとも１種のクロロ官能性ケイ素含有化合物の反応生成物を含む、請求項１に記載のシロキサン組成物。
【請求項６】
アリール基含有シロキサン組成物であって、
（Ａ１）Ｍ、Ｄ、Ｔ及び／又はＱ単位を含み、１分子当たり少なくとも２つのアルケニル基を有し、前記少なくとも２つのアルケニル基がＭ単位経由及び／又はＤ単位経由のみで結合しているアルカリ土類金属含有オルガノポリシロキサン、
（Ｂ１）１分子当たり少なくとも２つのケイ素に結合した水素原子を有するオルガノポリシロキサンの
（Ｃ１）ヒドロシリル化触媒の存在下での反応生成物を含み、
成分（Ａ１）又は（Ｂ１）の少なくとも１つが少なくとも１つのアリール基を含む、アリール基含有シロキサン組成物。
【請求項７】
前記少なくとも２つのアルケニル基の少なくとも２０モル％が前記Ｍ単位経由で結合し、前記少なくとも２つのアルケニル基の残りが前記Ｄ単位経由で結合する、請求項６に記載のシロキサン組成物。
【請求項８】
成分（Ａ１）が、
（ｉ）アルカリ土類金属酸化物、或いは、式Ｍ（ＯＨ）２ｐＨ２Ｏを含み、式中Ｍがアルカリ土類金属を表し、ｐが０〜８の範囲にある、アルカリ土類金属水酸化物又はアルカリ土類金属水酸化物水和物、及び
（ｉｉ）式  Ｒ１１ｎ（Ｘ２）ｙＳｉＯ（（４−ｎ−ｙ）／２）の少なくとも１種のケイ素含有化合物の反応生成物を含み、
式中、
前記添え字ｎが０．８〜２．２の範囲にあり、
前記添え字ｙが０．０１〜３の範囲にあり、
各Ｘ２が加水分解性基を個別に表し、
脂肪族不飽和炭素−炭素結合を含む任意のＲ１１がＭ単位経由及び／又はＤ単位経由で結合するという前提で、各Ｒ１１が水素原子又は脂肪族不飽和炭素−炭素結合を含まない一価炭化水素基又は脂肪族不飽和炭素−炭素結合を有する一価炭化水素基を個別に表す、請求項６又は請求項７に記載のシロキサン組成物。
【請求項９】
ＳｉＨ／Ｖｉモル比１：１〜３：１を有する、請求項１〜８のいずれか一項に記載のシロキサン組成物。
【請求項１０】
発光素子の封入層用の請求項１〜９のいずれか一項に記載のアリール基含有シロキサン組成物。
【請求項１１】
アリール基含有シロキサン組成物の形成方法であって、
請求項２〜５のいずれか一に記載の熱安定化組成物と（Ａ）１分子当たり少なくとも２つのアルケニル基を有するオルガノポリシロキサン、及び（Ｂ）１分子当たり少なくとも２つのケイ素に結合した水素原子を有するオルガノポリシロキサンとをヒドロシリル化触媒の存在において一緒に反応させる工程を含み、成分（Ａ）又は（Ｂ）の少なくとも１つが少なくとも１つアリール基を含む、方法。
【請求項１２】
アリール基含有シロキサン組成物の形成方法であって、
（ａ）アルカリ土類金属を含み、及びＭ、Ｄ、Ｔ及び／又はＱ単位を含み、及び１分子当たり少なくとも２つのアルケニル基を有し、前記少なくとも２つのアルケニル基がＭ単位経由及び／又はＤ単位経由のみで結合する、アルカリ土類金属含有オルガノポリシロキサンを形成する工程、及び
（ｂ）成分（ａ）と（ｉ）１分子当たり少なくとも２つのケイ素に結合した水素原子を有するオルガノポリシロキサンとを（ｉｉ）ヒドロシリル化触媒の存在下で反応させる工程を含み、成分（ａ）又は（ｉ）の少なくとも１つが少なくとも１つアリール基を含む、方法。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
原子炉の炉心を冷却する方法であって、該方法は、
前記原子炉の炉心を、多面体水素化ホウ素アニオン又はカルボランアニオンのうちの少なくとも１種類を含む水溶液に接触させる工程を含む方法。
【請求項２】
前記多面体水素化ホウ素アニオン又はカルボランアニオンのうちの少なくとも１種類は、１０Ｂにより強化されている、請求項１に記載の方法。
【請求項３】
前記多面体水素化ホウ素アニオン又はカルボランアニオンのうちの少なくとも１種類は、Ｂ１０Ｈ１０２−、Ｂ１１Ｈ１４−、ＣＢ１１Ｈ１２−、又はＢ１２Ｈ１２２−のうちの少なくとも１種類を含む、請求項１又は２に記載の方法。
【請求項４】
前記水溶液は、多面体水素化ホウ素アニオンを含み、前記多面体水素化ホウ素アニオンは、Ｌｉ２Ｂ１０Ｈ１０、Ｎａ２Ｂ１０Ｈ１０、Ｋ２Ｂ１０Ｈ１０、（ＮＨ４）２Ｂ１０Ｈ１０、ＬｉＢ１１Ｈ１４、ＮａＢ１１Ｈ１４、ＫＢ１１Ｈ１４、（ＮＨ４）Ｂ１１Ｈ１４、Ｌｉ２Ｂ１２Ｈ１２、Ｎａ２Ｂ１２Ｈ１２、Ｋ２Ｂ１２Ｈ１２、（ＮＨ４）２Ｂ１２Ｈ１２、及びそれらの組み合わせからなる群から選択される、溶解された塩によって提供される、請求項１〜３のいずれか１項に記載の方法。
【請求項５】
前記多面体水素化ホウ素アニオン又はカルボランアニオンのうちの少なくとも１種類は、溶解された、グループＩ又はアンモニウム塩により提供され、前記グループＩ又はアンモニウム塩は、少なくとも２５重量％のホウ素を有する、請求項１〜４のいずれか１項に記載の方法。
【請求項６】
前記多面体水素化ホウ素アニオン又はカルボランアニオンのうちの少なくとも１種類は、２０℃で１００ｇの溶液あたり少なくとも１５ｇの水溶性を有する、溶解された塩により提供される、請求項１〜５のいずれか１項に記載の方法。
【請求項７】
前記炉を水溶液に接触させる工程は、前記原子炉の緊急停止の間に実行される、請求項１〜６のいずれか１項に記載の方法。
【請求項８】
多面体水素化ホウ素アニオン又はカルボランアニオンのうちの少なくとも１種類を含む水溶液を、中性子減速材として緊急炉心冷却システム内に含み、又は両方を含む水溶液を、中性子減速材として緊急炉心冷却システム内に備える、原子炉。
【請求項９】
前記多面体水素化ホウ素アニオン又はカルボランアニオンのうちの少なくとも１種類は、１０Ｂにより強化されている、請求項８に記載の原子炉。
【請求項１０】
前記多面体水素化ホウ素アニオン又はカルボランアニオンのうちの少なくとも１種類は、Ｂ１０Ｈ１０２−、Ｂ１１Ｈ１４−、ＣＢ１１Ｈ１２−、又はＢ１２Ｈ１２２−のうちの少なくとも１種類を含む、請求項８又は９に記載の原子炉。
【請求項１１】
前記原子炉は、軽水炉、沸騰水炉、加圧水炉、小型モジュール炉、又は重水炉である、請求項８〜１０のいずれか１項に記載の原子炉。
【請求項１２】
前記原子炉は、前記多面体水素化ホウ素アニオン又はカルボランアニオンのうちの少なくとも１種類を含む前記水溶液を、緊急炉心冷却システム内に備え、該緊急炉心冷却システムは、
前記多面体水素化ホウ素アニオン又はカルボランアニオンのうちの少なくとも１種類を含む、ある量の前記水溶液を収容する容器と、
前記容器から、前記原子炉の炉心に前記水溶液を送達するための位置にあるアプリケータに通じる導管と、を備える、請求項８〜１１のいずれか１項に記載の原子炉。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
カートリッジデバイスを備えるアッセイシステムであって、
前記カートリッジデバイスが、
・１種以上の液体を保持するための少なくとも１つのリザーバ部分と、
・前記少なくとも１つのリザーバ部分からの前記１種以上の液体を受けるための少なくとも１つのアッセイ部分であり、
前記１種以上の液体を該アッセイ部分に導入するよう、前記少なくとも１つのリザーバ部分に接続された導入部と、
該アッセイ部分から前記１種以上の液体を排出する排出部と、
前記導入部と前記排出部との間に設けられた複数の結合部位であり、該結合部位を経て前記１種以上の液体が前記導入部から前記排出部に繰り返し流され得る、結合部位と
を有する、少なくとも１つのアッセイ部分と、
・前記１種以上の液体中の１種以上の分析物の前記複数の結合部位への結合を測定するための測定装置と
を含む、アッセイシステム。
【請求項２】
前記カートリッジデバイスが受け入れられたり取り出されたりするインターフェースであって、前記少なくとも１つのリザーバ部分から前記少なくとも１つのアッセイ部分を通る前記１種以上の液体の流れ又は移動を制御するための装置を含む、インターフェースをさらに備え、
前記１種以上の液体の流れを制御するための前記装置が、以下の事項の少なくとも１つ、すなわち
前記少なくとも１つのアッセイ部分を横切る前記１種以上の液体の流速、
前記少なくとも１つのアッセイ部分を横切る前記１種以上の液体の流れの持続時間、及び、
ある量の前記１種以上の液体が、前記少なくとも１つのアッセイ部分を通って流される回数
の少なくとも１つを独立に制御することができる、請求項１に記載のアッセイシステム。
【請求項３】
流速センサーをさらに備え、
前記インターフェースが、前記流速センサーからの出力に基づいて、前記少なくとも１つのアッセイ部分を横切る前記１種以上の液体の流速と持続時間の少なくとも一方を制御する可変の陽圧と可変の陰圧の両方又はその一方を提供する、請求項２に記載のアッセイシステム。
【請求項４】
前記１種以上の液体が、蛍光標識、発光標識、及び比色標識からなる群から選択される１種以上の標識を含み、
前記測定装置が、蛍光測定装置、発光測定装置、及び比色測定装置からなる群から選択される、請求項１に記載のアッセイシステム。
【請求項５】
前記測定装置が、コンピューター制御下で、レーザー又は他の形態の標識刺激を、前記カートリッジデバイスの前記少なくとも１つのアッセイ部分に向けることができるように、かつ、続いて蛍光、発光又は比色シグナルの検出及び／又は測定を実施できるように、当該アッセイシステムに構成されている、請求項４に記載のアッセイシステム。
【請求項６】
コンピューターソフトウェアをさらに備え、
該コンピュータソフトウェアは、実行されると、
前記少なくとも１つのアッセイ部分中における前記複数の結合部位の１つ又は複数に結合する１種以上の分析物の１つ以上の結合曲線の表示を分析し、
前記１種以上の分析物について該分析を１つ以上の既知の標準物質の時間経過結合曲線と比較し、
前記１種以上の液体中の前記１種以上の分析物の存在と濃度の少なくとも一方を決定する
ように動作する、請求項１に記載のアッセイシステム。
【請求項７】
前記少なくとも１つのリザーバ部分が、該少なくとも１つのリザーバ部分内の液体を封じる薄い膜により覆われている、請求項１に記載のアッセイシステム。
【請求項８】
検出用試薬に対する少なくとも１つの追加の結合部位を提供する促進剤分子又は実体を、前記液体の１種が含有する、請求項１に記載のアッセイシステム。
【請求項９】
前記促進剤分子又は実体が、
ストレプトアビジン、アビジン及び色素標識型のストレプトアビジンを含むストレプトアビジン種、
二量化ビオチン分子、ビオチンで部分的に若しくは完全に標識されたＰＡＭＡＭ（ポリアミドアミン）デンドリマー、又はビオチン−アビジンネットワークを形成し得る任意のビオチン含有分子若しくは高分子、ビオチン化タンパク質、ビオチン化抗体、ビオチン化ペプチド、ＤＮＡのビオチン化ストランド、及びビオチン化デンドリマーを含むビオチン化種、並びに、
分析物とは独立した態様で、捕捉された活性物質と検出試薬とを架橋させることができる任意の活性物質及び抗種抗体
からなる群から選択される、請求項８に記載のアッセイシステム。
【請求項１０】
前記複数の結合部位が、生物学的実体と化学的実体の一方又は両方を含む、請求項１に記載のアッセイシステム。
【請求項１１】
前記生物学的実体が、タンパク質、ホルモン、抗体、抗原、ウイルス、抗体複合体、機能的抗体断片、ペプチド、細胞、細胞断片、アプタマー、細胞溶解物、分画された細胞溶解物、分画された細胞、ＤＮＡ、ＲＮＡ、ｍＲＮＡ、遺伝子、及び遺伝子発現生成物からなる群から選択され、
前記化学的実体が、化学元素、化合物、薬学的に活性な化合物又はそれらの代謝物、鉱物、及び汚染物質からなる群から選択される、請求項１０に記載のアッセイシステム。
【請求項１２】
前記カートリッジデバイスが、前記排出部に接続された廃棄物チャンバーをさらに備える、請求項１に記載のアッセイシステム。
【請求項１３】
１種以上の流体を保持するための少なくとも１つのリザーバ部分と、
前記少なくとも１つのリザーバ部分からの前記１種以上の流体を受けるための少なくとも１つのアッセイ部分であって、
前記１種以上の液体を該アッセイ部分に導入するよう、前記少なくとも１つのリザーバ部分に接続された導入部と、
該アッセイ部分から前記１種以上の液体を排出する排出部と、
前記導入部と前記排出部との間に設けられた複数の結合部位であり、該結合部位を経て前記１種以上の液体が前記導入部から前記排出部に繰り返し流され得る、結合部位と
を有する、少なくとも１つのアッセイ部分と、
を備えるカートリッジデバイス。
【請求項１４】
前記排出部に接続された廃棄物チャンバーをさらに備える、請求項１３に記載のカートリッジデバイス。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
（ａ）（ｉ）１，１，１，４，４，４−ヘキサフルオロ−２−ブテン（１３３６ｍｚｚｍ）と、１種以上のポリオールと、１種以上の界面活性剤と、少なくとも１種の触媒とを含む発泡剤組成物を含む、発泡体製造のための保存安定性プレミックスを第１の時点で形成することと、
（ｂ）該第１の時点後少なくとも７日間、該１，１，１，４，４，４−ヘキサフルオロ−２−ブテン（１３３６ｍｚｚｍ）と該触媒との反応が実質的に起こらないことを確実にするのに有効な条件で形成した該保存安定性プレミックスから、該第１の時点の該少なくとも７日後である第２の時点で発泡体を形成することを含む、発泡体を形成する方法。
【請求項２】
該発泡剤が共発泡剤を含み、
該共発泡剤は、１−クロロ−３，３，３−トリフルオロプロペン、１，３，３，３−テトラフルオロプロペン、水、ＣＯ２および／またはＣＯを発生する有機酸、ペンタン、ブタン、メチラール、ギ酸メチル、１，１，１，３，３−ペンタフルオロブタン（ＨＦＣ−３６５ｍｆｃ）；１，１，１，２，３，３，３−ヘプタフルオロプロパン（ＨＦＣ−２２７ｅａ）、１，１，１，３，３−ペンタフルオロプロパン（ＨＦＣ−２４５ｆａ）；トランス−１，２−ジクロロエチレン；１，１−ジフルオロエタン（ＨＦＣ−１５２ａ）；及びこれらの組み合わせからなる群より選択される、請求項１に記載の方法。
【請求項３】
該第１の時点後少なくとも１４日間、該１，１，１，４，４，４−ヘキサフルオロ−２−ブテン（１３３６ｍｚｚｍ）と該触媒との反応が実質的に起こらないことを確実にするのに有効な条件で形成した該保存安定性プレミックスから、該第１の時点の該少なくとも１４日後である第２の時点で該発泡体を形成する、請求項１に記載の方法。
【手続補正２】
【補正対象書類名】明細書
【補正対象項目名】００５５
【補正方法】変更
【補正の内容】
【００５５】
１３３６ｍｚｚｍを含有する、より安定した系をさらに発泡体の発泡セル構造によって証明した。ゲル化時間は９日目と１２日目の間でわずかに増加したが、その後は安定していたようであり、商業的に容認できる程度内に維持されていた。この樹脂を加速させて熟成しても、すべての発泡体が微細な発泡セル構造を有していた。１２３３ｚｄ（Ｅ）の場合のような粗発泡セルや崩壊は見られなかった。
以下に実施態様項を記載する。
態様１
（ａ）（ｉ）１，１，１，４，４，４−ヘキサフルオロ−２−ブテン（１３３６ｍｚｚｍ）と、１種以上のポリオールと、１種以上の界面活性剤と、少なくとも１種の触媒とを含む発泡剤組成物を含む、発泡体製造のための保存安定性プレミックスを第１の時点で形成することと、
（ｂ）該第１の時点後少なくとも７日間、該１，１，１，４，４，４−ヘキサフルオロ−２−ブテン（１３３６ｍｚｚｍ）と該触媒との反応が実質的に起こらないことを確実にするのに有効な条件で形成した該保存安定性プレミックスから、該第１の時点の該少なくとも７日後である第２の時点で発泡体を形成することを含む、発泡体を形成する方法。
態様２
該発泡剤は、水、炭化水素、フッ化炭素、塩素化炭素、ヒドロクロロフルオロカーボン、ヒドロフルオロカーボン、ハロゲン化炭化水素、エーテル、エステル、アルコール、アルデヒド、ケトン、有機酸、気体生成材料、及びこれらの組み合わせからなる群より選択される共発泡剤をさらに含む、態様１に記載の方法。
態様３
該共発泡剤は、１−クロロ−３，３，３−トリフルオロプロペン、１，３，３，３−テトラフルオロプロペン、水、ＣＯ２および／またはＣＯを発生する有機酸、ペンタン、ブタン、メチラール、ギ酸メチル、１，１，１，３，３−ペンタフルオロブタン（ＨＦＣ−３６５ｍｆｃ）；１，１，１，２，３，３，３−ヘプタフルオロプロパン（ＨＦＣ−２２７ｅａ）、１，１，１，３，３−ペンタフルオロプロパン（ＨＦＣ−２４５ｆａ）；トランス−１，２−ジクロロエチレン；１，１−ジフルオロエタン（ＨＦＣ−１５２ａ）；及びこれらの組み合わせからなる群より選択される、態様２に記載の方法。
態様４
該触媒はアミン触媒を含む、態様１に記載の方法。
態様５
該触媒は非アミン触媒を含む、態様１に記載の方法。
態様６
該界面活性剤はシリコーン界面活性剤を含む、態様１に記載の方法。
態様７
該第１の時点後少なくとも１４日間、該１，１，１，４，４，４−ヘキサフルオロ−２−ブテン（１３３６ｍｚｚｍ）と該触媒との反応が実質的に起こらないことを確実にするのに有効な条件で形成した該保存安定性プレミックスから、該第１の時点の該少なくとも１４日後である第２の時点で該発泡体を形成する、態様１に記載の方法。
態様８
該第１の時点後少なくとも３０日間、該１，１，１，４，４，４−ヘキサフルオロ−２−ブテン（１３３６ｍｚｚｍ）と該触媒との反応が実質的に起こらないことを確実にするのに有効な条件で形成した該保存安定性プレミックスから、該第１の時点の該少なくとも３０日後である第２の時点で該発泡体を形成する、態様１に記載の方法。
態様９
（ａ）（ｉ）１，１，１，４，４，４−ヘキサフルオロ−２−ブテン（１３３６ｍｚｚｍ）と、１種以上のポリオールと、１種以上の界面活性剤と、少なくとも１種の触媒とを含む発泡剤組成物を含む、発泡体製造のための保存安定性プレミックスを第１の時点で形成することと、
（ｂ）該第１の時点後少なくとも７日間、該プレミックスの反応特性が実質的に低下しないことを確実にするのに有効な条件で形成された該保存安定性プレミックスから、該第１の時点の少なくとも７日後である第２の時点で発泡体を形成することを含む、発泡体を形成する方法。
態様１０
１−クロロ−３，３，３−トリフルオロプロペン、１，３，３，３−テトラフルオロプロペン、水、ＣＯ２および／またはＣＯを生成する有機酸、ペンタン、ブタン、メチラール、ギ酸メチル、１，１，１，３，３−ペンタフルオロブタン（ＨＦＣ−３６５ｍｆｃ）；１，１，１，２，３，３，３−ヘプタフルオロプロパン（ＨＦＣ−２２７ｅａ）、１，１，１，３，３−ペンタフルオロプロパン（ＨＦＣ−２４５ｆａ）；トランス−１，２−ジクロロエチレン；１，１−ジフルオロエタン（ＨＦＣ−１５２ａ）；及びこれらの組み合わせからなる群より選択される共発泡剤をさらに含む、態様９に記載の方法。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
不織シート中のカーボンナノチューブを配向させる方法であって、
（ａ）配向されていないナノチューブを含んだカーボンナノチューブの不織シートを準備するステップ、
（ｂ）前記カーボンナノチューブの不織シートをカップリング剤と接触させて隣接するカーボンナノチューブ間の機械的結合を得るステップ、
（ｃ）機械的に結合したカーボンナノチューブを含んだカーボンナノチューブの前記不織シートを延伸して、
（ｉ）カーボンナノチューブ間のストレスを与え、かつ
（ｉｉ）前記不織シートが延伸される方向に個々のナノチューブの配向を与えるステップ
を含む、方法。
【請求項２】
希釈液をステップ（ｂ）で使用する、請求項１に記載の方法。
【請求項３】
前記希釈液が、クロロスルホン酸、硫酸、メタンスルホン酸、または過硫酸アンモニウムの硫酸溶液である、請求項２に記載の方法。
【請求項４】
配向カーボンナノチューブからなる不織シートであって、広角Ｘ線回折によって求められる２０°以下の半値全幅を有し、隣接するカーボンナノチューブが少なくとも２個の芳香族部分、非芳香族ポリシラン、又はタンパク質を有する芳香族分子のカップリング剤によって互いに結合されるシート。
【請求項５】
前記不織シートは、広角Ｘ線回折によって求められる１０°以下の半値全幅を有する請求項４記載の不織シート。
【請求項６】
前記不織シートは、広角Ｘ線回折によって求められる５°以下の半値全幅を有する請求項５記載の不織シート。
【請求項７】
少なくとも２個の芳香族部分を有する芳香族分子は、ジフェニルベンゼン、トリフェニルメタン、トリフェニルベンゼン、トリフェニレン及びポリスチレンから選択される請求項４記載の不織シート。